(57)【要約】【課題】分割された導光板の輝度不均一を補償できるディスプレイ装置、バックライトアセンブリ及びその映像表示方法が提供される。【解決手段】本発明によるディスプレイ装置は、映像が表示される液晶表示パネルと、前記液晶表示パネルの下部に配列され、入射する光を前記液晶表示パネルに導く複数の導光板を含む導光ユニットと、前記複数の導光板の一側面に個別に配列されて、前記側面にそれぞれ光を照射する複数のＬＥＤモジュールと、前記導光板の境界領域の輝度を補償するために、前記境界領域に対応する前記液晶表示パネルの補償領域に表示される映像の輝度を補正する映像処理部と、を含む。【選択図】図２
2011095714.tif 000002
【特許請求の範囲】
【請求項１】
液晶表示パネルと、
前記液晶表示パネルに隣接して配列され、入射する光を前記液晶表示パネルに導く複数の導光板を含む導光ユニットと、
前記複数の導光板の少なくとも一側面に個別に配列されて、前記導光ユニットに光を照射する複数のＬＥＤモジュールと、
前記境界領域に対応する前記液晶表示パネルの補償領域に表示される映像の輝度レベルを補正する映像処理部と、
を含むことを特徴とするディスプレイ装置。
【請求項２】
前記映像処理部は、前記ＬＥＤモジュールから光が入射する前記導光板の側面の反対側面の上部に対応する補償領域に表示される映像の輝度レベルを増加させることを特徴とする、請求項１に記載のディスプレイ装置。
【請求項３】
前記映像処理部は、前記ＬＥＤモジュールから光が入射する前記導光板の側面の上部に対応する補償領域に表示される映像の輝度レベルを減少させることを特徴とする、請求項１に記載のディスプレイ装置。
【請求項４】
前記液晶表示パネルは長方形状を有し、
前記導光ユニットは、前記液晶表示パネルの長辺方向に分割されている複数の導光板を含み、
前記ＬＥＤモジュールは、前記導光板の長辺側面に配列されていることを特徴とする、請求項２または３に記載のディスプレイ装置。
【請求項５】
前記導光ユニットは、格子状に分割されている複数の導光板を含むことを特徴とする、請求項２または３に記載のディスプレイ装置。
【請求項６】
前記ＬＥＤモジュールに電源を供給する光源駆動部と、
前記ＬＥＤモジュールから出射される光が順次にスキャニングされるように前記光源駆動部を制御する光源制御部と、
をさらに含むことを特徴とする、請求項１に記載のディスプレイ装置。
【請求項７】
前記ＬＥＤモジュールに電源を供給する光源駆動部と、
前記液晶表示パネルに表示される映像に基づいて前記ＬＥＤモジュールに電源が供給されるように前記光源駆動部を制御する光源制御部と、
をさらに含むことを特徴とする、請求項１に記載のディスプレイ装置。
【請求項８】
映像が表示される液晶表示パネルと、前記液晶表示パネルに隣接して配列され、入射する光を前記液晶表示パネルに導く複数の導光板と、前記複数の導光板の一側面に個別に配列されて、前記側面にそれぞれ光を照射する複数のＬＥＤモジュールと、を含むディスプレイ装置の映像処理方法であって、
前記導光板の境界領域に対応する前記液晶表示パネルの少なくとも一つの補償領域を判断する段階と、
前記境界領域の輝度を補償するために、前記補償領域に表示される映像の輝度レベルを変更する段階と、
を含むことを特徴とするディスプレイ装置の映像処理方法。
【請求項９】
前記映像の輝度を補正する段階は、前記ＬＥＤモジュールから光が入射する前記導光板の側面の反対側面の上部に対応する補償領域に表示される映像の輝度レベルを増加させることを特徴とする、請求項８に記載のディスプレイ装置の映像処理方法。
【請求項１０】
前記映像の輝度を補正する段階は、前記ＬＥＤモジュールから光が入射する前記導光板の側面の上部に対応する補償領域に表示される映像の輝度レベルを減少させることを特徴とする請求項８に記載のディスプレイ装置の映像処理方法。
【請求項１１】
前記液晶表示パネルは長方形状を有し、
前記導光板は、前記液晶表示パネルの長辺方向に分割されていることを特徴とする、請求項９または１０に記載のディスプレイ装置の映像処理方法。
【請求項１２】
前記ＬＥＤモジュールから出射される光がスキャニングされるように前記ＬＥＤモジュールを駆動する段階をさらに含むことを特徴とする、請求項８に記載のディスプレイ装置の映像処理方法。
【請求項１３】
前記液晶表示パネルに表示される映像に基づいて前記ＬＥＤモジュールを駆動する段階をさらに含むことを特徴とする、請求項８に記載のディスプレイ装置の映像処理方法。
【発明の詳細な説明】
【技術分野】
【０００１】
本発明は、ディスプレイ装置、バックライトアセンブリ及びその映像表示方法に係り、より詳細には、導光板を含むディスプレイ装置、バックライトアセンブリ及び映像表示方法に関するものである。
【背景技術】
【０００２】
液晶表示装置に使用されるバックライトユニットは、光源の位置によって直下型(direct type）とエッジ型(edge type）の２種類に大別することができる。
【０００３】
直下型バックライトユニットは、光源が液晶パネルの下部に配置されて、液晶パネルの全面に直接照光する方式のもので、ランプの下部に配置されて光を反射させる反射板と、ランプの上部に配置されて、照射された光を集光し拡散させる光学シートなどで構成される。このような直下型バックライトユニットは、多数の光源を有することができ、かつ、光利用効率が高いため、高輝度が要求される大画面液晶表示装置に主に使用される。
【０００４】
一方、エッジ型バックライトユニットは、通常、光源の光を液晶パネルの方向に誘導する導光板の側面に光源が設けられる。エッジ型は、液晶表示装置を大型化する場合には輝度が落ちる欠点があるが、薄型化には有利である。導光板は、光を散乱させて均一化させ、導光板の下面には反射板が配置される。また、導光板の上面には光の進行経路を変え、集光するための一対のプリズムシートと、液晶パネルに入射する光の均一度を向上させるための拡散シートとが設けられている。
【発明の概要】
【発明が解決しようとする課題】
【０００５】
本発明は、分割された導光板の輝度不均一を補償できるディスプレイ装置、バックライトアセンブリ及びその映像表示方法を提供する。
【０００６】
本発明は、分割された導光板の間に発生する暗部を改善できるディスプレイ装置、バックライトアセンブリ及びその映像表示方法を提供する。
【０００７】
また、本発明は、光学シートのようなハードウェア的構成なしに映像処理を通じて均一な輝度を提供することによってコストを節減できるディスプレイ装置、バックライトアセンブリ及びその映像表示方法を提供する。
【０００８】
また、本発明は、輝度が改善され且つローカルディミング可能な導光板を含むディスプレイ装置、バックライトアセンブリ及びその映像表示方法を提供する。
【課題を解決するための手段】
【０００９】
本発明の一実施形態によるディスプレイ装置は、映像が表示される液晶表示パネルと、前記液晶表示パネルの下部に配列され、入射する光を前記液晶表示パネルに導く複数の導光板を含む導光ユニットと、前記複数の導光板の一側面に個別に配列されて、前記側面にそれぞれ光を照射する複数のＬＥＤモジュールと、前記導光板の境界領域の輝度を補償するために、前記境界領域に対応する前記液晶表示パネルの補償領域に表示される映像の輝度を補正する映像処理部と、を含む。
【００１０】
前記導光板は、長方形状を有し、前記映像処理部は、前記ＬＥＤモジュールから光が入射する前記導光板の側面の反対側面の上部に対応する補償領域に表示される映像の階調を増加させることができる。
【００１１】
前記導光板は、長方形状を有し、前記映像処理部は、前記ＬＥＤモジュールから光が入射する前記導光板の側面の上部に対応する補償領域に表示される映像の輝度を減少させることができる。
【００１２】
前記液晶表示パネルは、長方形状を有し、前記導光ユニットは、前記液晶表示パネルの長辺方向に分割されている複数の導光板を含み、前記ＬＥＤモジュールは、前記導光板の長辺側面に配列されることができる。
【００１３】
前記導光ユニットは、格子状に分割されている複数の導光板を含むことができる。
【００１４】
上記ディスプレイ装置は、前記ＬＥＤモジュールに電源を供給する光源駆動部と、前記ＬＥＤモジュールから出射される光が順次にスキャニングされるように前記光源駆動部を制御する光源制御部と、をさらに含むことができる。
【００１５】
上記ディスプレイ装置は、前記ＬＥＤモジュールに電源を供給する光源駆動部と、前記液晶表示パネルに表示される映像に基づいて前記ＬＥＤモジュールに電源が供給されるように前記光源駆動部を制御する光源制御部と、をさらに含むことができる。
【００１６】
一方、本発明の他の実施形態による、映像が表示される液晶表示パネルと、前記液晶表示パネルの下部に配列され、入射する光を前記液晶表示パネルに導く複数の導光板と、前記複数の導光板の一側面に個別に配列されて、前記側面にそれぞれ光を照射する複数のＬＥＤモジュールと、を含むディスプレイ装置の映像処理方法は、前記導光板の境界領域に対応する前記液晶表示パネルの補償領域を判断する段階と、前記境界領域の輝度を補償するために、前記補償領域に表示される映像の輝度を補正する段階と、を含むことができる。
【００１７】
一方、本発明の他の実施形態によるバックライトアセンブリは、映像が表示されるディスプレイパネルの下部に配列され、入射する光を前記ディスプレイパネルに導く複数の導光板を含む導光ユニットと、前記複数の導光板の一側面に個別に配列されて、前記側面にそれぞれ光を照射する複数のＬＥＤモジュールと、前記複数の導光板が前記ディスプレイパネルを照光する場合、前記導光板の境界領域による輝度不均一を補償する映像処理部と、を含むことができる。
【発明の効果】
【００１８】
上記のように構成される本発明の一実施形態によると、分割された導光板の輝度不均一を補償できるディスプレイ装置、バックライトアセンブリ及びその映像表示方法を提供することができる。
【００１９】
また、本発明の一実施形態によると、分割された導光板の間に発生する暗部を改善できるディスプレイ装置、バックライトアセンブリ及びその映像表示方法を提供することができる。
【００２０】
また、本発明の一実施形態によると、光学シートのようなハードウェア的構成なしに映像処理を通じて均一な輝度を提供し、コストを節減できるディスプレイ装置、バックライトアセンブリ及びその映像表示方法を提供することができる。
【００２１】
また、本発明によると、輝度が改善され且つローカルディミング可能な導光板を含むディスプレイ装置、バックライトアセンブリ及びその映像表示方法を提供することができる。
【図面の簡単な説明】
【００２２】
【図１】本発明の一実施形態によるディスプレイ装置を示す制御ブロック図である。
【図２】図１のディスプレイ装置における液晶表示パネル、導光ユニット及びＬＥＤモジュールを示す斜視図である。
【図３】図２のIII−III線に沿った断面図及び光源輝度グラフである。
【図４】図１のディスプレイ装置における映像の輝度グラフである。
【図５】図１のディスプレイ装置における他の実施形態による導光ユニット及びＬＥＤモジュールの斜視図である。
【図６】図１のディスプレイ装置における映像処理方法を示す制御流れ図である。
【図７】本発明の一実施形態によるバックライトアセンブリの制御ブロック図である。
【発明を実施するための形態】
【００２３】
以下、添付の図面を参照しつつ、本発明の実施形態について、本発明の属する技術分野における通常の知識を有する者が容易に実施できるように詳細に説明する。本発明は、様々な実施形態が可能であり、ここに説明する実施形態に限定されることはない。本発明の明確な説明のために余分な部分についての説明は省略し、明細書全体にわたって同一または類似の構成要素には同一の参照符号を付けるものとする。
【００２４】
図１は、本発明の一実施形態によるディスプレイ装置を示す制御ブロック図であり、図２は、ディスプレイ装置に含まれる液晶表示パネル、導光ユニット及びＬＥＤ（Light Emitting Diode）モジュールを示す斜視図である。図示のように、ディスプレイ装置は、映像受信部１００と、液晶表示パネル２１０及びパネル駆動部２２０を含む液晶パネル部２００と、映像処理部３００と、液晶表示パネル２１０に光を提供するバックライトアセンブリ４００と、を含む。バックライトアセンブリ４００は、導光ユニット４１０、ＬＥＤモジュール４２０を駆動する光源駆動部４３０、及び光源駆動部４３０を制御する光源制御部４４０を含む。ディスプレイ装置は、放送信号を受信して処理するテレビやコンピュータシステムに連結されているモニタをはじめとして、液晶表示パネル２１０を含む大型ディスプレイ装置のいずれをも含むことができる。
【００２５】
映像受信部１００は、ディスプレイ装置をテレビとした場合、放送局（図示せず）から送出されるＲＦ（radio frequency）信号を無線で受信する、または、コンポジットビデオ、コンポーネントビデオ、スーパービデオ、ＳＣＡＲＴ、ＨＤＭＩ（high definition multimedia interface）規格などによる映像信号を受信することができる。なお、映像受信部１００は、ディスプレイ装置をコンピュータモニタとした場合、ＶＧＡ方式によるＲＧＢ信号を伝達できるＤ−ＳＵＢや、ＤＶＩ、ＨＤＭＩ規格などの映像信号を受信することができる。
【００２６】
液晶表示パネル２１０は、第１基板２１１及び第２基板２１２との間に充填されている液晶層（図示せず）を含む平板表示パネルで、自らは発光しない非自発光パネルに該当する。このため、液晶表示パネル２１０は、後述するバックライトアセンブリ４００から光を受けて映像を表示する。通常、液晶表示パネル２１０は長方形状を有する。
【００２７】
パネル駆動部２２０は、映像処理部３００から受信した映像を液晶表示パネル２１０に表示させる。パネル駆動部２２０は、液晶表示パネル２１０の各画素（図示せず）に映像信号を印加するためのゲート駆動部（図示せず）及びデータ駆動部（図示せず）をＩＣの形態で含み、映像処理部３００と軟性フィルムで連結されている。パネル駆動部２２０及び映像処理部３００は、同一の回路基板に設けられても良く、異なる回路基板に設けられてコネクタで連結されても良い。
【００２８】
映像処理部３００は、映像受信部１００から送られる映像信号に対して、既に設定された様々な信号処理を行う。映像処理部３００が行う信号処理の種類は特定プロセスに限定されず、例えば、様々なデコーディング、エンコーディング、デインターレーシング、フレームレート変換、スケーリング、映像画質改善のためのノイズ減少、ディテールエンハンスメントなどを含むことができる。映像処理部３００は、このような各プロセスを独立して行えるような個別の構成にすることもでき、様々な機能を統合した一体型の構成にすることもできる。本実施形態による映像処理部３００は、入力される映像の不均一な輝度レベルを、後述する導光ユニット４１０の形状及び配列に応じて補正する。具体的に、映像処理部３００は、入力される映像信号の階調値を減少または増加させる変更によって、液晶表示パネル２１０に表示される映像の不均一な輝度レベルを補正する。
【００２９】
図２に示すように、導光ユニット４１０は、液晶表示パネル２１０に隣接して配列されており、入射する光を液晶表示パネル２１０に導く複数の導光板４１１，４１２，４１３を含む。複数の導光板４１１，４１２，４１３は、液晶表示パネル２１０の長辺方向に分割されており、それぞれは横方向に長い直方形を有する。各導光板４１１，４１２，４１３の大きさは同一であっても良く、異なっても良い。複数のＬＥＤモジュール４２１，４２２，４２３は、複数の導光板４１１，４１２，４１３の一側面にそれぞれ配列されて、各側面にそれぞれ光を照射する。本実施形態によるＬＥＤモジュール４２１，４２２，４２３は、導光板４１１，４１２，４１３の長辺方向に並んで配列され、導光板４１１，４１２，４１３の長辺側面に光を照射する。導光板４１１，４１２，４１３は、光を液晶表示パネル２１０に效果的に導くために、図示しないプリズムパターンまたは反射パターンなどを含むことができる。導光板４１１，４１２，４１３の材質、パターン、成形方法などは特に限定されず、公知または非公知のいずれのものを適用しても良い。
【００３０】
通常、エッジタイプの光源を含むバックライトアセンブリは、液晶パネルの背面に液晶パネルの大きさに対応する一つの導光板を含む。この場合、導光板の側面に配列されているＬＥＤモジュールの個数が限定されるため、直下タイプのバックライトアセンブリに比べて輝度が低いという欠点がある。そこで、本実施形態では、エッジタイプのバックライトアセンブリにおける輝度を改善し、かつ、ＬＥＤモジュールの個数に起因する製造コストを節減する目的で、複数の導光板４１１，４１２，４１３と、導光板４１１，４１２，４１３の側面に配列された複数のＬＥＤモジュール４２１，４２２，４２３とを含む。導光ユニット４１０が、分離されている導光板４１１，４１２，４１３で構成され、液晶表示パネル２１０の縁部の他に、液晶表示パネル２１０の中央領域にもＬＥＤモジュール４２１，４２２，４２３が配列されるから、バックライトアセンブリの輝度レベルは既存のエッジタイプに比べて向上する。
【００３１】
各ＬＥＤモジュール４２１，４２２，４２３は、複数のＬＥＤ ４２０ａと、ＬＥＤ ４２０ａに電源を供給する回路パターン（図示せず）が形成されているとともに、ＬＥＤ４２０ａを支持する回路基板４２０ｂと、を含む。図３は、図２のIII−III線に沿った断面図及び光源輝度グラフである。図３の（１）に示すように、本実施形態によるＬＥＤ ４２０ａは、導光板４１１，４１２，４１３の間または境界に配列されて、導光板４１１，４１２，４１３の側面に光を照射し、回路基板４２０ｂは、ＬＥＤ４２０ａに対して垂直に設けられている。導光板４１１，４１２，４１３間の間隔を減少させ、かつ、ＬＥＤモジュール４２１，４２２，４２３を容易に支持するために、回路基板４２０ｂは液晶表示パネル２１０と平行な方向に配列される。回路基板４２０ｂは、導光板４１１，４１２，４１３及び各種光学シート（図示せず）を収容する収納部材（図示せず）に固定される。ＬＥＤ４２０ａと導光板４１１，４１２，４１３との間隔は、輝度の均一性、及びＬＥＤ４２０ａの劣化による導光板４１１，４１２，４１３の歪みを考慮して設定することが好ましい。
【００３２】
同図に示すように、導光板４１１，４１２，４１３の縁部は、境界領域Ｇ１，Ｇ２，Ｇ３，Ｇ４で定義される、互いに隣接する導光板４１１，４１２，４１３の間の間隔を含むとすれば、本実施形態によるＬＥＤモジュール４２１，４２２，４２３は、第２境界領域Ｇ２、第３境界領域Ｇ３、第４境界領域Ｇ４から導光板４１１，４１２，４１３の側面に光を照射する。図３の（２）は、バックライトアセンブリ４００から液晶表示パネル２１０へ出射される光の輝度レベルを示すもので、ＬＥＤモジュール４２１，４２２，４２３から光が出射されると、入射部分に該当する第２境界領域Ｇ２、第３境界領域Ｇ３、第４境界領域Ｇ４から、反対側面の第１境界領域Ｇ１、第２境界領域Ｇ２、第３境界領域Ｇ３に光が伝達される。同図に示すように、光が伝達される距離が増加するほど光の輝度は減少する。すなわち、ＬＥＤモジュール４２１，４２２，４２３から光が入射する側面と反対側の側面における導光板４１１，４１２，４１３の上部には暗部が発生し、逆に、ＬＥＤモジュール４２１，４２２，４２３から光が入射する側面における導光板４１１，４１２，４１３の上部には明部が発生することがある。すなわち、バックライトアセンブリ４００から液晶表示パネル２１０へ入射する光の輝度レベルは均一でない場合がある。
【００３３】
図４は、図１のディスプレイ装置における映像の輝度グラフシリーズである。グラフにおいて、Ｘ軸は、液晶表示パネル２１０の短辺方向における距離を表し、Ｙ軸は、入力映像または出力映像の輝度レベルを表す。同グラフから、導光板４１１，４１２，４１３の配列によって映像の輝度が変更されることがわかる。
【００３４】
図４の（１）は、入力映像の輝度レベルが一定の階調値Ａで入力されるとき、複数の導光板４１１，４１２，４１３から誘導された光が提供された場合における出力映像の輝度レベルを示すグラフである。すなわち、図３の（２）に示すような導光板４１１，４１２，４１３の構造に起因する輝度レベルの不均一により、出力映像は、Ｂ−１のように入力映像に比べて輝度の低い暗部を含んだり、Ｂ−２のように入力映像に比べて輝度の高い明部を含んだりすることができる。
【００３５】
これを改善するために、映像処理部３００は、図３の（２）に示すように、非正常に明るいか暗い領域である境界領域Ｇ１，Ｇ２，Ｇ３，Ｇ４の上部に対応する液晶表示パネル２１０の補償領域Ｃにおける映像の輝度を補正したり調節したりする。図４の（２）では、Ｂ−１のように、本来の出力映像が入力映像に比べて輝度の低い暗部を含む場合、映像処理部３００は、暗部に対応する補償領域Ｃ１，Ｃ２，Ｃ３に表示される映像の階調を増加させた後、液晶表示パネル２１０に入力させる。すなわち、入力映像の階調Ａ−１は、映像受信部１００から入力される本来の映像の階調（点線，Ａ）と異なるように変更され、暗部の輝度レベルを改善するために、暗部に対応する補償領域Ｃ１，Ｃ２，Ｃ３に表示される映像の輝度レベルが増加する。このような映像の補正によって出力映像Ｃ−１は原始入力映像Ａのように均一の輝度レベルを有することとなる。
【００３６】
図４の（３）は、Ｂ−２のように、本来の出力映像が入力映像に比べて輝度の高い明部を含む場合、映像処理部３００は、明部に対応する補償領域Ｃ２，Ｃ３，Ｃ４に表示される映像の階調を減少させた後、液晶表示パネル２１０に入力させる。すなわち、本来の映像Ａにおいて補償領域Ｃ２，Ｃ３，Ｃ４に表示される映像の輝度レベルが減少した映像が入力映像Ａ−２となる。このような映像の補正によって、出力映像Ｃ−２は原始入力映像Ａのように均一な輝度レベルを有することとなる。
【００３７】
映像処理部３００は、あらかじめ保存されていた又は外部から入力された補償領域Ｃ１，Ｃ２，Ｃ３，Ｃ４に対する情報を用いて映像の階調を変更させることができる。映像処理部３００は、特定領域に限定して映像の階調を変更させることもでき、光が経由する導光板４１１，４１２，４１３の長さを変数とし、入力映像に対する出力映像の輝度レベルを演算する関数を用いて映像の輝度レベルを変更させることもできる。本実施形態によれば、分割された導光板４１１，４１２，４１３による輝度レベルの不均一を映像処理を通じて改善することによって、追加的な光学シートを使用しなくて済み、よって、製造原価の節減と同時にバックライトアセンブリ４００及びディスプレイ装置の薄型化に寄与することができる。
【００３８】
他の実施形態では、ＬＥＤモジュール４２１，４２２，４２３を、導光板４１１，４１２，４１３の一側面ではなく複数の側面に配列することもできる。液晶表示パネル２１０の大きさに応じて、または、要求されるバックライトアセンブリの輝度レベルに応じて、一つの導光板４１１，４１２，４１３に光を照射するＬＥＤモジュールの個数を調節することができる。この場合、補償領域が変更されるので、映像処理部３００も、変更された補償領域に対応して映像を補正する。
【００３９】
映像の輝度レベルは、映像処理部３００で補正されても良いが、パネル駆動部２２０で調節されても良い。すなわち、補償領域Ｃ１，Ｃ２，Ｃ３，Ｃ４に対する情報のみあればパネル駆動部２２０で映像の階調を変更させることも可能である。パネル駆動部２２０は、補償領域に表示される入力映像の階調値に対応する変更階調値を含むルックアップテーブルを用いて映像の階調値を変更させることが可能である。
【００４０】
バックライトアセンブリ４００は、図示しない拡散板、プリズムフィルム、保護フィルムなどのような光学フィルムをさらに含むことができ、導光ユニット４１０の内部底面に配置される反射板をさらに含むことができる。光学フィルムは、導光板４１１，４１２，４１３から出射された光を均一に拡散させ、反射板は、液晶表示パネル２１０の下部方向に入射した光を液晶表示パネル２１０の上部方向に反射させる役割を果たす。
【００４１】
再び図１を参照すると、バックライトアセンブリ４００は、ＬＥＤモジュール４２１，４２２，４２３に電源を供給する光源駆動部４３０と、光源駆動部４３０を制御する光源制御部４４０と、を含む。
【００４２】
光源駆動部４３０は、入力される電源のレベルを変更して各ＬＥＤモジュール４２１，４２２，４２３に供給するためのコンバータ、トランスフォーマ、各種ダイオード、キャパシタなどを含むことができる。光源駆動部４３０は、公知または非公知の電源供給部のいずれをも含むことができる。
【００４３】
光源制御部４４０は、ＬＥＤモジュール４２１，４２２，４２３に入力される電源を制御するための制御信号を光源駆動部４３０に出力する。このような制御信号は、ＬＥＤモジュール４２１，４２２，４２３を順次に駆動するためのスキャニング信号及びＬＥＤモジュール４２１，４２２，４２３をローカルディミングするためのディミング信号を含むことができる。ＬＥＤモジュール４２１，４２２，４２３をローカルディミングするために、光源制御部４４０は、映像処理部３００から入力される映像の階調に対する情報を受信することができる。
【００４４】
図５は、図１におけるディスプレイ装置の他の実施形態による導光ユニット４１０及びＬＥＤモジュール４２０を示す斜視図である。
【００４５】
本実施形態による導光ユニット４１０は、格子状に分割されている複数の導光板４１０ａを含む。各導光板４１０ａは、図２における導光板４１１，４１２，４１３よりも小さい大きさで分割されており、行方向の他に列方向にも個別のＬＥＤモジュールの駆動が可能なため、より效果的にローカルディミングを行うことができる。光源制御部４４０は、映像処理部３００から映像に対する情報を受信して、光源駆動部４３０のＬＥＤモジュール４２０に供給する電源を時間及び空間的に制御することができる。
【００４６】
図６は、図１におけるディスプレイ装置による映像処理方法を説明するための制御流れ図である。図６は参照して、本実施形態による映像処理方法について説明すると、次の通りである。まず、導光板４１１，４１２，４１３の境界領域Ｇ１，Ｇ２，Ｇ３，Ｇ４に対応する液晶表示パネル２１０の補償領域Ｃ１，Ｃ２，Ｃ３，Ｃ４を設定する（Ｓ１０）。補償領域Ｃ１，Ｃ２，Ｃ３，Ｃ４は、導光板４１１，４１２，４１３の形状及び性質に応じて設定することができる。導光板４１１，４１２，４１３の境界領域Ｇ１，Ｇ２，Ｇ３，Ｇ４であっても輝度補償の不要な領域は補償領域に設定されないことがあり、導光板４１１，４１２，４１３の側面において光を提供するＬＥＤモジュール４２１，４２２，４２３の個数及び配列によって補償領域は異なってくることがある。すなわち、輝度の補償を必要とする領域が補償領域に設定され、補償領域は、ディスプレイ装置の製造に当たって設定される、または、製品市販後にユーザの選択によって設定されることができる。ＬＥＤモジュール４２１，４２２，４２３に電源を供給した後、液晶表示パネル２１０に出射される光の輝度レベルを感知し、これに基づいて輝度の補償を必要とする部分を判断することもでき、撮像された光を用いるイメージプロセス過程を通じて補償領域を判断することもできる。
【００４７】
映像処理部３００は、補償領域Ｃ１，Ｃ２，Ｃ３，Ｃ４に対する情報を用いて補償領域Ｃ１，Ｃ２，Ｃ３，Ｃ４に表示される映像の輝度レベルを補正する（Ｓ２０）。映像処理部３００は、導光板４１１，４１２，４１３のＬＥＤモジュール４２１，４２２，４２３から光が入射する側面の反対側の側面の上部に対応する映像の輝度レベルを増加させたり、光が入射する側面の上部に対応する映像の輝度レベルを減少させたりすることができる。
【００４８】
液晶表示パネル２１０の縁部の他に、映像の表示される中央領域にもＬＥＤモジュール４２１，４２２，４２３を配列することができるので、バックライトアセンブリ４００は、ＬＥＤモジュール４２１，４２２，４２３をスキャニング駆動させたりローカルディミング駆動させたりすることができる。
【００４９】
図７は、本発明の一実施形態によるバックライトアセンブリの制御ブロック図である。同図において、バックライトアセンブリ６００は、導光ユニット６１０、ＬＥＤモジュール６２０及び映像処理部６３０を含む。
【００５０】
ディスプレイパネル５００は、液晶層（図示せず）を含む液晶表示パネルを含み、自らは発光しない非自発光パネルに該当する。そのため、ディスプレイパネル５００は、バックライトアセンブリ６００から光を受けて映像を表示する。
【００５１】
導光ユニット６１０は、映像が表示されるディスプレイパネル５００に隣接して配列され、入射する光をディスプレイパネルに導く複数の導光板を含む。複数のＬＥＤモジュール６２０は、複数の導光板の一側面に個別に配列されて、側面にそれぞれ光を照射する。本実施形態による導光ユニット６１０及びＬＥＤモジュール６２０は、上記の図２及び図５に示す構成を含むことができる。
【００５２】
映像処理部６３０は、複数の導光板がディスプレイパネル５００を照光する場合、導光板の境界領域による輝度不均一を補償する。映像処理部６３０は、輝度レベルの不均一を補償したデータをディスプレイパネル５００に出力することができる。映像処理部６３０は、ディスプレイパネル５００に表示される映像の領域別階調値に対して輝度レベルの不均一性を補償する領域別変更階調値を算出したり、映像の領域別階調値に対応する変更階調値を含むルックアップテーブルを用いたりして輝度レベルの不均一を補償することができる。映像処理部６３０は、境界領域に発生する輝度レベルの不均一を改善するために、導光板の境界領域に対する情報を用いて該当の領域の映像を調節する。映像処理部６３０による輝度レベルの不均一の補償は、図３、図４及び図６を参照して説明した映像処理方法を含むことができる。
【００５３】
以上では具体的な実施形態を挙げて本発明を説明してきたが、本発明の属する技術分野における通常の知識を有する当業者にとっては、本発明の原則や精神を逸脱しない範囲内で本発明の様々な変形実施形態が可能であるということは明らかである。したがって、本発明の範囲は、添付の請求項とその均等物により定められるべきである。
【符号の説明】
【００５４】
１００    映像受信部
２００    液晶パネル部
３００    映像処理部
４００    バックライトアセンブリ
【図１】
2011095714.tif 000003
【図２】
2011095714.tif 000004
【図３】
2011095714.tif 000005
【図４】
2011095714.tif 000006
【図５】
2011095714.tif 000007
【図６】
2011095714.tif 000008
【図７】
2011095714.tif 000009